【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
患者の身体への薬物の送達のためのシステムであって、
患者の身体に薬物を送達するように構成されたデバイスと、
医用デバイスに接続され、前記医用デバイスから患者の身体への薬物の送達を制御するように構成されたコントローラと、
前記コントローラに接続され、ユーザ入力を受け取り、前記ユーザ入力に関係するデータを前記コントローラに提供し、前記コントローラからのディスプレイコマンドに応答してディスプレイ画面を生成するように構成されたグラフィカルユーザインターフェース（ＧＵＩ）ディスプレイとを備え、
前記コントローラは、
ユーザフィンガスワイプジェスチャを受け取るためにユーザの指がその上でスワイプされるスワイプフィールドを有し、前記ユーザフィンガスワイプジェスチャに関係する移動不可アイコンを有する第１の画面を生成するために、前記ＧＵＩディスプレイにディスプレイコマンドを送ることであって、前記スワイプフィールドは、前記医用デバイスによる指定の動作を開始するようにユーザに促すために表示される、こと、
前記ユーザフィンガスワイプジェスチャに関係し、前記ＧＵＩディスプレイから受け取られるデータから、前記ユーザフィンガスワイプジェスチャが、前記コントローラによって有効なスワイプジェスチャとして認識されるように、選択された量の前記スワイプフィールドを前記スワイプフィールドに沿った指定の方向に横切ったと前記コントローラが決定したとき、第２の画面を生成するように前記ＧＵＩディスプレイにディスプレイコマンドを送ること、及び
有効なユーザプレスが前記第２の画面上の確認ボタンに対して入力されたと前記コントローラが決定したとき、前記指定の動作についてのコマンドを生成し、前記医用デバイスに送ること
を行うように構成され、
前記指定の動作が前記薬物の送達であり、有効なユーザプレスが前記第２の画面上の確認ボタンに対して入力されたと前記コントローラが決定したとき、前記コントローラは、前記患者への前記薬物の送達を開始するように前記医用デバイスに命令し、前記ＧＵＩディスプレイを介して送達ステータス画面を生成するように構成され、
前記送達ステータス画面は、回転する進行リングシンボル及びレベルインジケータを備え、
前記コントローラは、前記薬物の前記送達に関係する選択されたイベントに従って、前記回転する進行リングシンボル及び前記レベルインジケータのそれぞれを遷移させる、
システム。
【請求項２】
前記確認ボタンでの前記ユーザプレスは、前記コントローラによって有効なユーザプレスとして認識されるために、前記ＧＵＩディスプレイ上で前記第２の画面の表示が開始された後の選択された時間間隔以内に行われなければならない
請求項１に記載のシステム。
【請求項３】
前記第１の画面は、前記第１の画面が前記コントローラについてのスワイプして送達開始の画面であることを示す情報を特定する英数画面と、前記有効なスワイプジェスチャの前記指定の方向を示すグラフィカル情報とを表示する
請求項１に記載のシステム。
【請求項４】
前記グラフィカル情報は、前記有効なスワイプジェスチャの前記指定の方向を指し示す一連の静的矢印を含む
請求項３に記載のシステム。
【請求項５】
前記コントローラは、ユーザフィンガスワイプジェスチャを受け取るためにユーザの指がその上でスワイプされるスワイプフィールドを有し、前記ユーザフィンガスワイプジェスチャに関係する移動不可アイコンを有するロック画面である第３の画面を表示するように前記ＧＵＩディスプレイにディスプレイコマンドを送るように構成され、
前記スワイプフィールドは、前記ロック画面のロック解除を開始するようにユーザに促すために表示される
請求項１に記載のシステム。
【請求項６】
前記コントローラは、
前記ユーザフィンガスワイプジェスチャに関係し、グラフィカルユーザディスプレイから受け取られるデータから、前記ユーザフィンガスワイプジェスチャが、前記コントローラによって有効なスワイプジェスチャとして認識されるために、選択された量の前記スワイプフィールドをスワイプフィールドに沿った指定の方向に横切ったと前記コントローラが決定したとき、第４の画面を生成するために、ディスプレイコマンドを生成し、前記ＧＵＩディスプレイに送り、
有効なユーザプレスが前記第４の画面上の確認ボタンに対して入力されたと前記コントローラが決定したとき、指定の動作を可能にする第５のロック解除画面を生成するためのコマンドを生成し、前記ＧＵＩディスプレイに送るように構成される
請求項５に記載のシステム。
【請求項７】
前記第３の画面は、前記第１の画面が前記コントローラについてのスワイプしてロック解除の画面であることを示す情報を特定する英数画面と、前記有効なスワイプジェスチャの前記指定の方向を示すグラフィカル情報とを表示する
請求項５に記載のシステム。
【請求項８】
前記グラフィカル情報は、前記有効なスワイプジェスチャの前記指定の方向を指し示す一連の静的矢印を含む
請求項７に記載のシステム。
【請求項９】
第５のロック解除画面は、薬物のドーズ、及び入力された量の薬物を送達するための要求の少なくとも一方をユーザが入力することを可能にし、前記ユーザがボタンの有効なプレスを入力して、薬物の送達が望ましいことを確認することを必要とするように構成された送達開始画面である
請求項５に記載のシステム。
【請求項１０】
患者の身体への薬物の送達を制御するためのデバイスであって、
医用デバイスに接続され、前記医用デバイスから患者の身体への薬物の送達を制御するように構成されたコントローラと、
前記コントローラに接続され、ユーザ入力を受け取り、前記ユーザ入力に関係するデータを前記コントローラに提供し、前記コントローラからのディスプレイコマンドに応答してディスプレイ画面を生成するように構成されたグラフィカルユーザインターフェース（ＧＵＩ）ディスプレイと
を備え、
前記コントローラは、ユーザフィンガスワイプジェスチャを受け取るためにユーザの指がその上でスワイプされるスワイプフィールドを有し、前記ユーザフィンガスワイプジェスチャに関係する移動不可アイコンを有する第１の画面を生成するために、前記ＧＵＩディスプレイにディスプレイコマンドを送るように構成され、
前記スワイプフィールドは、前記医用デバイスによる指定の動作を開始するようにユーザに促すために表示され、
前記コントローラは、前記ユーザフィンガスワイプジェスチャに関係し、ＧＵＩディスプレイから受け取られるデータから、前記ユーザフィンガスワイプジェスチャが、前記コントローラによって有効なスワイプジェスチャとして認識されるために、選択された量の前記スワイプフィールドを前記スワイプフィールドに沿った指定の方向に横切ったとそれが決定したとき、第２の画面を生成するように構成され、
前記第２の画面は、前記コントローラが前記指定の動作に着手する前に有効なユーザプレスを必要とする確認ボタンを備え、有効なユーザプレスが前記確認ボタンに対して入力されたと前記コントローラが決定したとき、前記コントローラは、前記指定の動作についてのコマンドを生成し、前記医用デバイスに送る、
デバイス。
【請求項１１】
前記確認ボタンでの前記ユーザプレスは、前記コントローラによって有効なユーザプレスとして認識されるために、前記ＧＵＩディスプレイ上で前記第２の画面の表示が開始された後の選択された時間間隔以内に行われなければならない
請求項１０に記載のデバイス。
【請求項１２】
前記第１の画面は、前記第１の画面が前記コントローラについてのスワイプしてロック解除の画面であることを示す情報を特定する英数画面と、前記有効なスワイプジェスチャの前記指定の方向を示すグラフィカル情報とを表示する
請求項１０に記載のデバイス。
【請求項１３】
前記グラフィカル情報は、前記有効なスワイプジェスチャの前記指定の方向を指し示す一連の静的矢印を含む
請求項１２に記載のデバイス。
【請求項１４】
前記第１の画面は、前記第１の画面が前記コントローラについてのスワイプして送達開始の画面であることを示す情報を特定する英数画面と、前記有効なスワイプジェスチャの前記指定の方向を示すグラフィカル情報とを表示する
請求項１０に記載のデバイス。
【請求項１５】
前記グラフィカル情報は、前記有効なスワイプジェスチャの前記指定の方向を指し示す一連の静的矢印を含む
請求項１４に記載のデバイス。
【請求項１６】
前記第１の画面によって示される前記指定の動作は、前記コントローラについての画面をロック解除するためのスワイプであり、有効なユーザプレスが前記第２の画面内で認識されたとき、前記コントローラは第３の画面を生成し、
前記第３の画面は、薬物のドーズ、及び入力された量の薬物を送達するための要求の少なくとも一方をユーザが入力することを可能にし、前記ユーザがボタンの有効なプレスを入力して、薬物の送達が望ましいことを確認することを必要とするように構成される
請求項１０に記載のデバイス。
【請求項１７】
薬物の送達が望ましいことを確認するための前記ボタンの有効なプレスが認識されたとき、前記コントローラは第４の画面を生成し、
前記第４の画面は、ユーザフィンガスワイプジェスチャを受け取るためにユーザの指がその上でスワイプされるスワイプフィールドを有し、前記ユーザフィンガスワイプジェスチャに関係する移動不可アイコンを有し、
前記コントローラは、前記ユーザフィンガスワイプジェスチャに関係し、前記ＧＵＩディスプレイから受け取られるデータから、前記ユーザフィンガスワイプジェスチャが、前記コントローラによって有効なスワイプジェスチャとして認識されるために、選択された量の前記スワイプフィールドを前記スワイプフィールドに沿った指定の方向に横切ったとそれが決定したとき、第５の画面を生成するように構成され、
前記第５の画面は、前記コントローラが指定の動作に着手する前に有効なユーザプレスを必要とする確認ボタンを備え、
前記コントローラは、前記第５の画面に対するユーザ入力に応答して、薬物を送達するように前記医用デバイスに命令するように構成され、
前記ユーザフィンガスワイプジェスチャが選択された量の前記スワイプフィールドを横切らなかったか、又は前記指定の方向以外の前記スワイプフィールドに沿った方向であったと前記コントローラが決定したとき、前記第４の画面が前記ＧＵＩディスプレイによって表示されたままであり、前記第５の画面が生成されない
請求項１６に記載のデバイス。
【請求項１８】
前記第１の画面が、前記ユーザフィンガスワイプジェスチャが選択された量の前記スワイプフィールドを横切らなかったか、又は前記指定の方向以外の前記スワイプフィールドに沿った方向であったと前記コントローラが決定したとき、前記第１の画面が前記ＧＵＩディスプレイによって表示されたままであり、前記第２の画面が表示されない
請求項１０に記載のデバイス。
【請求項１９】
前記指定の動作は、前記コントローラをロック解除すること、及び薬物を送達するように前記医用デバイスに命令することの一方でよい
請求項１０に記載のデバイス。
【請求項２０】
患者の身体への薬物の送達を制御するためのデバイスであって、
医用デバイスに接続され、前記医用デバイスから患者の身体への薬物の送達を制御するように構成されたコントローラと、
前記コントローラに接続され、ユーザ入力を受け取り、前記ユーザ入力に関係するデータを前記コントローラに提供するように構成されたユーザインターフェースと、
前記コントローラに接続され、ディスプレイ画面を生成するように構成されたディスプレイと
を備え、
前記コントローラは、前記ユーザインターフェースを介するユーザ入力に応答して、前記患者への前記薬物の送達を開始するように前記医用デバイスに命令し、前記ユーザ入力に応答して、前記ディスプレイを介して送達ステータス画面を生成するように構成され、
前記送達ステータス画面は、回転する進行リングシンボル及びレベルインジケータを備え、
前記コントローラは、前記薬物の前記送達に関係する選択されたイベントに従って、前記回転する進行リングシンボル及び前記レベルインジケータのそれぞれを遷移させる
デバイス。
【請求項２１】
前記コントローラと前記医用デバイスはメッセージを交換し、前記医用デバイスは、前記薬物の前記送達の完了のステータスを前記コントローラに通知し、前記コントローラは、前記回転する進行リングシンボル及び前記レベルインジケータのそれぞれを遷移させるための前記選択されたイベントとして完了の前記ステータスを使用する
請求項２０に記載のデバイス。
【請求項２２】
完了の前記ステータスは、前記患者の身体に送達される前記薬物の単位数を含む
請求項２１に記載のデバイス。
【請求項２３】
前記コントローラは、前記患者の身体に送達される前記薬物の前記単位数の選択された変化に対応する、選択された度数だけ、前記進行リングシンボルを回転させる
請求項２２に記載のデバイス。
【請求項２４】
前記進行リングシンボルは、前記進行リングシンボルの回転のユーザ識別を容易にするように、その外周に沿った切欠き、又は前記進行リングシンボルの厚みの階調の少なくとも一方を含む
請求項２３に記載のデバイス。
【請求項２５】
前記コントローラは、前記患者の身体に送達される前記薬物の前記単位数の選択された変化に対応する、選択された量だけ、前記ディスプレイ上の背景イメージに対して前記レベルインジケータを変更する
請求項２２に記載のデバイス。
【請求項２６】
前記コントローラは、前記薬物の前記送達の開始時に開始されるタイマに基づいて、前記薬物の前記送達の完了のステータスを決定し、
前記コントローラは、前記回転する進行リングシンボル及び前記レベルインジケータのそれぞれを遷移させるための前記選択されたイベントとして、前記タイマによって示される、経過した時間量を使用する
請求項２０に記載のデバイス。
【請求項２７】
前記コントローラは、前記タイマによって示される、経過した時間量に対応する、選択された度数だけ、前記進行リングシンボルを回転させる
請求項２６に記載のデバイス。
【請求項２８】
前記進行リングシンボルは、前記進行リングシンボルの回転のユーザ識別を容易にするように、その外周に沿った切欠き、又は前記進行リングシンボルの厚みの階調の少なくとも一方を含む
請求項２７に記載のデバイス。
【請求項２９】
前記コントローラは、前記タイマによって示される、経過した時間量に対応する、選択された量だけ、前記ディスプレイ上の背景イメージに対して前記レベルインジケータを変更する
請求項２６に記載のデバイス。
【請求項３０】
前記コントローラは、前記レベルインジケータの変更よりも高速に前記進行リングシンボルを遷移させるレートで、前記進行リングシンボルを回転させる
請求項２７に記載のデバイス。
【請求項３１】
前記コントローラは前記医用デバイスとは別々であり、ワイヤレス通信を介してそれに接続される
請求項２０に記載のデバイス。
【請求項３２】
前記ユーザインターフェース及び前記ディスプレイは、グラフィカルユーザインターフェース（ＧＵＩ）デバイス内で構成される
請求項２０に記載のデバイス。
【請求項３３】
前記ＧＵＩデバイスは前記コントローラ上にある
請求項２０に記載のデバイス。